(57)【要約】【課題】微小なＩＣチップを埋め込んだ眼鏡レンズ、その製造方法、および眼鏡情報読み取りシステムを提供する。【解決手段】レンズに関する情報が記憶されたメモリーを備えた無線認識可能なＩＣチップ１０を眼鏡レンズ２の縁面に形成したレンズ保持具取付部１１内に固着し、智５をレンズ保持具取付部１１にはめ込み固定する。ＩＣチップ１０はレンズ２の識別情報が記憶されており、無線ＩＣチップ読取装置に近づけると記憶情報が読み出される。【選択図】  図３
2006126645.tif 000002
【特許請求の範囲】
【請求項１】
所定形状に縁摺り加工されたレンズに、そのレンズに関する情報が記憶されたメモリーを備えた無線認識可能なＩＣチップを取付けたことを特徴とする眼鏡レンズ。
【請求項２】
前記ＩＣチップにはレンズの識別情報が記憶されていることを特徴とする請求項１記載の眼鏡レンズ。
【請求項３】
前記ＩＣチップは、ＩＣチップ情報読取装置に近づけると当該読取装置で前記メモリーに記憶されている情報を無線を受信して読み出せることを特徴とする請求項１または２記載の眼鏡レンズ。
【請求項４】
前記ＩＣチップは、眼鏡レンズの縁面から内側に向かって形成された溝や穴からなるレンズ保持具用取付部に取付けられていることを特徴とする請求項１〜３のうちのいずれか１つに記載の眼鏡レンズ。
【請求項５】
前記ＩＣチップは、前記溝や穴の先端部に取付けられていることを特徴とする請求項４記載の眼鏡レンズ。
【請求項６】
前記ＩＣチップは眼鏡の左右のレンズのそれぞれに取付けられており、いずれのＩＣチップにも両レンズの各情報を参照できる識別情報がそれぞれ記憶されていることを特徴とする請求項１〜５のいずれか１つに記載の眼鏡レンズ。
【請求項７】
眼鏡レンズに関する情報が記憶されたサーバと、前記サーバとネットワークを介して接続されたＩＣチップ情報読取装置とを備え、
前記眼鏡レンズに埋め込まれているＩＣチップに記憶されている識別情報を前記ＩＣチップ情報読取装置によって読み取り、この読み取った識別情報をもとに前記サーバから前記眼鏡レンズに関する情報を取り出すことを特徴とする眼鏡レンズ情報読み取りシステム。
【請求項８】
所定形状に縁摺り加工された眼鏡レンズの縁面にレンズ保持具用取付部を形成する工程と、
前記レンズ保持具用取付部に眼鏡レンズを識別するための識別情報が記憶されたＩＣチップを設ける工程と、
ＩＣチップ情報読取装置により前記ＩＣチップに記憶されている識別情報を非接触で読み取る工程と、
前記ＩＣチップ情報読取装置によって読み取った識別情報をサーバに記憶されているその眼鏡レンズに関する情報と関連付けする工程とからなる眼鏡レンズの製造方法。
【請求項９】
所定形状に縁摺り加工された眼鏡レンズの縁面にレンズ保持具用取付部を形成する工程と、
前記レンズ保持具用取付部にＩＣチップを設ける工程と、
サーバに記憶されているその眼鏡レンズに関する情報と関連付けされた識別情報を作成する工程と、
前記工程で作成された識別情報をＩＣチップ情報書込装置により前記ＩＣチップに非接触で記憶させる工程とからなる眼鏡レンズの製造方法。
【発明の詳細な説明】
【技術分野】
【０００１】
本発明は、眼鏡レンズ、眼鏡レンズ情報読み取りシステムおよび眼鏡の製造方法に関するものである。
【背景技術】
【０００２】
従来、眼鏡レンズにそのレンズ固有の情報がわかるように識別マークや識別コードといった識別情報を付与することが行われている。眼鏡レンズに識別情報が付与されていると、外観だけでは容易に特定できない製造元、レンズの種類（レンズ素材、ハードコート、反射防止膜の種類）などの情報がわかるため、例えば眼鏡購入者が再度眼鏡を注文する際に現在の眼鏡の情報を参考にしたい場合のように、後から当該眼鏡レンズについての情報を得たい場合に有効である。情報を付与する方法としては、眼鏡レンズの表面にダイヤモンド等の硬質材料からなる針状の工具を使用して識別情報を彫刻する方法や、レーザ照射によって眼鏡レンズの表面や内部に識別情報を形成する方法（例えば、特許文献１〜３参照）が知られている。
【０００３】
前記特許文献１に記載されているレーザーマーキング法は、眼鏡レンズの内部にレーザー光を集束させることにより、レンズ表面には損傷を与えることなくレンズ内部に識別マークを付与し、この識別マークにより自社商品と他社商品の識別、型番、規格、特定位置指示等の表示を行うようにしたものである。
【０００４】
前記特許文献２に記載されているレーザーマーキング法は、レンズ素材の表面にハードコート膜や反射防止膜が施された眼鏡レンズにおいて、レンズ素材の表面近傍にレーザー光を集東させることにより、その表面近傍を破壊（溶融、変質）して識別マークを付与するようにしたものである。
【０００５】
前記特許文献３に記載されている眼鏡レンズのマーキング法は、眼鏡レンズを眼鏡フレームに枠入れするために眼鏡レンズの縁面（コバ面）に縁摺り加工により形成したヤゲン部分に製造履歴や詳細なレンズ情報がわかる識別マークをレーザー光によって付与するようにしたものである。
【０００６】
眼鏡レンズにレンズの識別情報を付与する場合には、眼鏡という商品の性質上、機能やデザインを損なわないようにできるだけ目立たないように付与する必要がある。したがって、前記特許文献１や特許文献２のようにレンズの光学面にマークを施す場合は、通常は認識できないが必要に応じて（例えば所定の角度から観察することによって）認識できるようないわゆる隠しマークを可能な限りレンズの外周付近に設けている。このため、顧客が選択した眼鏡フレームや処方に応じてレンズを縁摺り加工する際にマークが削り取られてしまい識別ができない場合があった。
【０００７】
これに対し、特許文献３の場合は、縁摺り加工後にレンズの縁面に識別マークを施しているため、マークが削りとられるおそれはない。また、ヤゲン部分に識別マークを付与しているため、レンズを眼鏡フレームに枠入れした際には、眼鏡フレームのリムにより隠れるため目立たないという利点がある。
【０００８】
【特許文献１】特開平３−１２４４８６号公報
【特許文献２】特開平６−１９１１５９号公報
【特許文献３】特開平８−１４６３６２号公報
【発明の開示】
【発明が解決しようとする課題】
【０００９】
上記したように前記特許文献１〜３に記載された従来のマーキング方法は、いずれもレンズに関する情報を記号やコードで表示しているため、情報量が増えれば増えるほど必然的に情報の表示面積が大きくなってしまい、付与できる情報量が制約されるという問題があった。
【００１０】
また、前記特許文献３のようにレンズのヤゲン部分に識別マークを付与する場合は、レンズをリムに枠入れするとリムによって識別マークが隠れて見えなくなるが、縁なしフレーム用のレンズの場合は、識別マークが見えてしまい目立ち易いという問題がある。
また、従来の識別情報は目視で確認する必要があることから、ヤゲン部分に識別情報を設けた場合は、確認の際にレンズをリムから取り外す必要がある。
【００１１】
ところで、近年、商品に情報を付与する方法として無線機能を有するＩＣチップ（以下、無線ＩＣチップともいう）が注目されている。このような無線ＩＣチップは小型化が進み、例えば日立製作所製の「ミューチップ」と呼ばれるアンテナを内蔵した０．４ｍｍ角、厚さ６０μｍのものも実用化されている。
【００１２】
そこで、本発明者は従来のマーキング方法に代わり、このＩＣチップを使用することを考えた。しかしながら、レンズにＩＣチップを設ける場合には、従来の方法の場合と同様な理由で目立たなくする必要がある。また、眼鏡は布などで汚れを拭き取ったり、水などの液体で洗ったりすることが多く、また、装用中に雨などで濡れる場合もあるため、ＩＣチップがレンズから容易に外れないことと防水性に優れていることが要求される。
また、ＩＣチップは情報のセキュリティは高いが、眼鏡のように常時携帯する商品に取付ける場合、非接触型の読取装置で気づかないうちに情報が読み出されるおそれがあり、プライバシーの侵害につながる可能性もある。
【００１３】
本発明は、上記した従来の問題を解決するためになされたものであり、その目的とするところは、マーキングによる方法に代えて微小なＩＣチップを用いることにより多くのレンズ情報を読み取ることができるようにした眼鏡レンズ、その製造方法、および眼鏡情報読み取りシステムを提供することにある。
【課題を解決するための手段】
【００１４】
上記目的を達成するために、本発明に係る眼鏡レンズは、所定形状に縁摺り加工されたレンズに、そのレンズに関する情報が記憶されたメモリーを備えた無線認識可能なＩＣチップを取付けたものである。
【００１５】
また、本発明に係る眼鏡レンズは、前記ＩＣチップにレンズの識別情報が記憶されているものである。
【００１６】
また、本発明に係る眼鏡レンズは、前記ＩＣチップがＩＣチップ情報読取装置に近づけると当該読取装置で前記メモリーに記憶されている情報を無線で受信して読み出せるものである。
【００１７】
また、本発明に係る眼鏡レンズは、眼鏡フレームに取付けるために所定形状に縁摺り加工されているものである。
【００１８】
また、本発明に係る眼鏡レンズは、前記ＩＣチップが眼鏡レンズの縁面から内側に向かって形成された溝や穴からなるレンズ保持具用取付部に取付けられているものである。
【００１９】
また、本発明に係る眼鏡レンズは、前記ＩＣチップが前記溝や穴の先端部に取付けられているものである。
【００２０】
また、本発明に係る眼鏡レンズは、前記ＩＣチップが眼鏡の左右のレンズのそれぞれに取付けられており、いずれのＩＣチップにも両レンズの各情報を参照できる識別情報がそれぞれ記憶されているものである。
【００２１】
また、本発明に係る眼鏡レンズ情報読み取りシステムは、眼鏡レンズに関する情報が記憶されたサーバと、前記サーバとネットワークを介して接続された無線ＩＣチップ情報読取装置とを備え、前記眼鏡レンズに埋め込まれているＩＣチップに記憶されている識別情報を前記ＩＣチップ情報読取装置によって読み取り、この読み取った識別情報をもとに前記サーバから前記眼鏡レンズに関する情報を取り出すものである。
【００２２】
また、本発明に係る眼鏡の製造方法は、所定形状に縁摺り加工された眼鏡レンズの縁面にレンズ保持具用取付部を形成する工程と、前記レンズ保持具用取付部に眼鏡レンズを識別するための識別情報が記憶されたＩＣチップを設ける工程と、ＩＣチップ情報読取装置により前記ＩＣチップに記憶されている識別情報を非接触で読み取る工程と、前記ＩＣチップ情報読取装置によって読み取った識別情報をサーバに記憶されているその眼鏡レンズに関する情報と関連付けする工程とからなるものである。
【００２３】
また、本発明に係る眼鏡レンズの製造方法は、所定形状に縁摺り加工された眼鏡レンズの縁面にレンズ保持具用取付部を形成する工程と、前記レンズ保持具用取付部にＩＣチップを設ける工程と、サーバに記憶されているその眼鏡レンズに関する情報と関連付けされた識別情報を作成する工程と、前記工程で作成された識別情報をＩＣチップ情報書込装置により前記ＩＣチップに非接触で記憶させる工程とからなるものである。
【発明の効果】
【００２４】
本発明においては、レンズ情報が記憶されたＩＣチップを備えているので、レーザー光等によってレンズに識別情報をマーキングする必要がない。
ＩＣチップは、無線ＩＣチップ情報読取装置に近づけないかぎりメモリーの情報を読み取られないため、不用意に情報が読取られプライバシーの侵害になるおそれが少ない。
ＩＣチップはレンズ保持具用取付部内に取付けられているので、脱落するおそれがない。
眼鏡レンズ情報読み取りシステムは、眼鏡レンズに組み込まれているＩＣチップからレンズの識別情報をＩＣチップ情報読取装置によって読み取ることにより、その識別情報をもとにサーバからレンズに関する情報を取り出すことができる。
ＩＣチップは、サーバに記憶されている眼鏡レンズに関する情報と関連付けされた当該眼鏡レンズの識別情報がＩＣチップ情報書込装置によって記憶される。
【発明を実施するための最良の形態】
【００２５】
以下、本発明を図面に示す実施の形態に基づいて詳細に説明する。
図１は本発明に係る眼鏡レンズを備えた眼鏡の正面図、図２は同眼鏡の側面図、図３は同眼鏡の要部の分解斜視図である。本実施の形態は、リムレス眼鏡に適用した例を示す。これらの図において、全体を符号１で示す眼鏡は、左右一対の眼鏡レンズ（以下、レンズともいう）２，２と、これらのレンズ２，２の内側縁を連結するブリッジ３と、ブリッジ３に取付けられた鼻当て４と、各レンズ２，２の外側縁にそれぞれ取付けられた左右一対の智（レンズ保持具）５，５と、各智５に対してそれぞれヒンジ６を介して折畳み自在に取付けられた左右一対のテンプル７，７と、各テンプル７の後端にそれぞれ取付けられたモダン９と、前記レンズ２の少なくとも一方に取付けられたＩＣチップ１０等で構成されている。
【００２６】
前記レンズ２の外側縁で前記智５が取付けられる部分には、レンズ保持具用取付部１１が形成されている。このレンズ保持具用取付部１１は、レンズ２の縁面２ａに、レンズ２の表裏面に開放するように略水平に形成されたＵ字状の溝で構成されている。また、レンズ保持具用取付部１の溝壁の幅方向中央には、断面形状が台形の突状体１２が壁面の全長にわたって一体に突設されている。なお、本実施の形態においては、レンズ２の縁面２ａに形成されるレンズ保持具用取付部１１をレンズ２の表裏面に開放するＵ字状の溝で構成した例を示したが、これに限らず表裏面のいずれか一方の面、例えば凸面側にのみ開放する溝であってもよい。
【００２７】
前記智５は、平面視Ｌ字状に形成されることにより前後方向に延在するテンプル接続部５Ａと、テンプル接続部５Ａの前端に略直交するように延設されたレンズ接続部５Ｂとで構成されている。テンプル接続部５Ａには、前記テンプル７の前端が前記ヒンジ６を介して折り畳み自在に連結されている。前記ヒンジ６は、智５のテンプル接続部５Ａの内側面に固定された智側ヒンジ部材１４と、テンプル７の前端部内側面に固定されたテンプル側ヒンジ部材１５と、これらのヒンジ部材１４，１５を相対回動自在に連結するビス１６とで構成されている。
【００２８】
前記智５のレンズ接続部５Ｂは、前記レンズ２を保持する部分であり、その先端部が二股に分岐し前記レンズ保持具用取付部１１に嵌合し得る形状に形成されている。智５に対するレンズ２の取付けに際しては、レンズ保持具用取付部１１の溝壁にエポキシ樹脂等の接着剤を塗布した後、智５の二股に分岐した分岐部１７をレンズ保持具用取付部１１に嵌め込み、レンズ２を智５に固定すればよい。
【００２９】
前記ＩＣチップ１０は、メモリーとアンテナを備え、受信アンテナが外部からのマイクロ波を受信すると、メモリーに記憶されている情報を送信アンテナによって外部に送信する無線認識可能なＩＣチップが用いられる。前記メモリーには、レンズ２に関する情報が記憶されており、この記憶されている情報としては、例えば、レンズを特定するための識別情報、受注に関する情報（受注年月日、受注工場、受注番号など）、製造、出荷に関する情報（製造履歴、製造年月日、出荷日など）、眼鏡レンズの情報（レンズ型番、レンズ材料データ、レンズ設計データなど）、眼鏡フレームの情報（フレーム型番、フレームサイズなど）、処方値およびレイアウト情報（度数、ＰＤなど）、注文者情報（眼鏡店、顧客データなど）がある。これらの情報は、文字コードデータとして登録してもよく、その場合、英数字などを組合わせてコード化したデータを用いてもよい。なお、ＩＣチップのメモリー容量により記憶できる情報量に限界があるので、メモリー容量が少ない場合には、そのレンズを特定できる識別情報だけあるいは識別情報と簡単な情報だけをメモリーに登録し、その他の詳細なレンズ情報はサーバに記憶しておくとよい。
【００３０】
このような詳細なレンズ情報は、前記ＩＣチップ１０に記憶されている識別情報をＩＣチップ情報読取装置によって無線で読み取り、この読み取った識別情報を前記サーバに照合することにより容易に入手することができる。このように、サーバ側に詳細なレンズ情報を記憶しておくと、ＩＣチップ１０自体はメモリー容量が少ないものを使用することができ、記憶する情報をレンズの識別情報のみとすることができる。
【００３１】
また、眼鏡店の情報や顧客情報などの外部に知られたくない情報はサーバ側にだけ登録され、ＩＣチップには登録されていないため、セキュリティ確保、プライバシー保護の観点からも好ましい。
【００３２】
レンズの識別情報としては、任意に設定できるが、例えば製造工場（１桁）、受注年月日（８桁）、受注番号（６桁、例えば受注日における受注順）、予備コード（１桁）などの情報をコード化した識別コードを利用できる。この識別コードの具体例としては、ある工場（工場コード１）で２００４年１０月１日に受注番号１２３で受注した場合、識別コード1200410010001230となる。この例では、コードは１６桁の英数字で表現でき、１文字８ビットで換算すると１２８ビット程度のメモリー容量があれば記憶可能である。
【００３３】
ＩＣチップ１０のメモリーとしては、読み書き可能なメモリー（以下、ＲＡＭ）と、読み込みのみ可能なメモリー（以下、ＲＯＭ）の２種類がある。ＲＯＭにおいては、ＩＣチップ製造時にメモリーに情報を書き込む場合、その時点で希望のコードからなる識別情報を指定できない可能性があるが、その場合はＩＣチップ製造時に重複しない識別情報をとりあえず付与しておき、ＩＣチップをレンズに取付ける前や後に、ＩＣチップに記憶されている識別情報とサーバ側に記憶されているレンズ情報を関連付けるとよい。
【００３４】
このようなＩＣチップ１０は１ｍｍ角以下のものを用いることが好ましい。この大きさであれば前記レンズ保持具用取付部１１内に取付けられる。取付けに際しては、レンズ保持具用取付部１１の溝壁や突状体１２の表面または側面に予め接着剤によってＩＣチップ１０を固定しておき、しかる後前記智５の分枝部１７をレンズ保持具用取付部１１に嵌め込み、レンズ２を智５に取り付ければよい。
【００３５】
レンズ保持具用取付部にＩＣチップを取付ける場合の取付位置の領域の例を図４（ａ）〜（ｃ）に示す。図中の網掛け部分はＩＣチップ１０を取付ける領域を示している。突状体１２の上面３０（図４（ａ））や側面３１（図４（ｂ））に取付けてもよいし、突状体１２以外の溝壁部分３２に設けてもよい（図４（ｃ））。なお、レンズ保持具用取付部１１の溝の先端部分３０ａ，３２ｂにＩＣチップ１０を取付けると、レンズ接続部５Ｂをレンズ保持具用取付部１１に挿入中にＩＣチップ１０と擦れることがなく、ＩＣチップ１０が剥がれたり、破損したりするおそれがないため好ましい。また、レンズ保持具用取付部１１の溝壁や、突状体１２の表面または側面に小さなチップ用の凹部を予め形成しておき、この凹部内にＩＣチップ１０を樹脂で充填して埋め込むようにしてもよい。使用する樹脂は、透明な樹脂が好ましい。また、レンズ接続部５Ｂをレンズ保持具用取付部１１に取付けるときに塗布する接着剤を利用してもよい。そのような樹脂の例としては２液混合型のエポキシ樹脂を挙げることができる。
【００３６】
凹部にＩＣチップを取付る場合の凹部の例を図５（ａ）〜（ｃ）に示す。図５（ａ）は突状体１１の上面にレンズの厚さ方向に溝４０を設けた例であり、図５（ｂ）は突状体１１の上面と側面の角部分に溝４１を設けた例である。図５（ｃ）は突状体１１の上面に窪み４２を設けた例である。このように突状体部分に溝や窪みを形成し、そこにＩＣチップ１０を取付けると、レンズ接続部５Ｂをレンズ保持具用取付部１１に挿入中にＩＣチップ１０と擦れることにより、ＩＣチップ１０が剥がれたり、破損したりするおそれがないため好ましい。この溝や窪みに樹脂を充填してＩＣチップを埋め込むとＩＣチップが剥がれるおそれがなく好ましい。また、ＩＣチップ１０は前記突状体１１上あるいは突状体１１中に取付けると、レンズ接続部５Ｂに隠れて外から見えないという点で好ましい。
【００３７】
また、ＩＣチップ１０は、左右のレンズ２，２の各々に埋め込まれており、いずれのレンズのＩＣチップにも当該レンズに関する識別情報に加えて、相手側のレンズに関する識別情報も記憶されている。このように１つのＩＣチップ１０に左右のレンズ２，２の識別情報を記憶しておけば、いずれか一方のレンズが破損したり紛失したり、あるいはＩＣチップの情報読み取りが不能になった場合でも、他方のレンズから一方のレンズの識別情報を読み取ることにより、そのレンズの詳細なレンズ情報を得ることが可能である。
【００３８】
このように本発明は眼鏡レンズ２にＩＣチップ１０を埋め込んでいるので、レーザーマーキング装置等によって識別マークをマーキングする必要がなく、またＩＣチップ１０自体はきわめて微小であるため、目立ったりレンズの外観を損なったりするおそれがない。しかも、ＩＣチップ１０をレンズ保持具用取付部１１内に組み込み、このレンズ保持具用取付部１１に智５の分岐部１７を嵌め込んでいるので、ＩＣチップ１０がレンズ保持具用取付部１１から脱落したり、雨などの水がＩＣチップ１０にかかるおそれもない。
【００３９】
また、ＩＣチップ１０には、無線ＩＣチップ情報読取装置に近づけないとＩＣチップのメモリーに記憶されている情報を読み取れないようなＩＣチップを用いると、勝手に情報が読取られてプライバシーの侵害になるおそれがなく好ましい。無線ＩＣチップ情報読取装置から読み取り可能な距離としては１０ｃｍ以下のものが好ましい。
【００４０】
図６は本発明の他の実施の形態を示す眼鏡レンズの要部の一部を破断して示す正面図である。この実施の形態は、レンズ２の縁面２ａで智２１が取付けられる部分に、レンズ保持具用取付部としての不貫通な穴２２を２つ形成し、これらの穴２２のいずれか一方にＩＣチップ１０を挿入し、各穴２２に接着剤を充填し、智２１に突設した２本のピン２３を前記各穴２２に挿入して前記接着剤で固定することにより、レンズ２を智２２に取付けるようにしたものである。この場合、ＩＣチップ１０は不貫通穴２２の断面形状より小さいものを使用するとよい。
このような眼鏡レンズ２においても、上記した実施の形態と同様な効果が得られることは明らかであろう。
この場合も不貫通穴２２の底部分にＩＣチップ１０を埋め込むと、ピン２３を不貫通穴２２に挿入するときにＩＣチップ１０と接触して擦れることがなく、ＩＣチップ１０が破損したりするおそれがないため好ましい。
また、ピン２５を不貫通穴２２に挿入する際にピン２３の先端でＩＣチップ１０を不貫通穴２２の底部分に押し込むようにしてもよい。
【００４１】
次に、本願発明にかかる眼鏡の製造方法および眼鏡レンズ情報読み取りシステムについて説明する。
図７は本願発明にかかる眼鏡の製造方法および眼鏡レンズ情報読み取りシステムを説明するための概略構成を示すブロック図、図８は受注から出荷までのレンズ製造工程の流れを示すフロー図である。
図７において、１００は発注側としての眼鏡店、２００はレンズ加工側としてレンズメーカの工場である。眼鏡店１００とレンズメーカの工場２００は、通信媒体３００で接続されている。通信媒体３００としては、例えば公衆通信回線、専用回線、インターネットなどを利用することができる。通信媒体３００には途中に中継局を設けるようにしてもよい。なお、発注側は眼鏡店１００の場合に限定されるものではなく、例えば眼科医、個人、あるいはレンズメーカの営業所等であってもよい。また、オフラインで注文を受け付ける場合でもよい。また、図７には発注側としての一つの眼鏡店１００しか示していないが、実際には通信媒体３００を介して多数の眼鏡店などが接続されている。
【００４２】
眼鏡店１００には、オンライン注文用端末（コンピュータ）１０１が設置されている。注文用端末１０１は、入力装置や画面表示装置を備えているとともに通信手段を有し、通信媒体３００を介して工場２００側と接続可能になっている。また、注文用端末１０１は、レンズや眼鏡を注文するために必要な情報を送受信するための専用の端末でもよいし、汎用のパソコンに注文用のソフトウェアをインストールしたものでもよい。また、工場２００側のネットワークや中継局にＷＷＷサーバを設け、そこに注文用のドキュメントやプログラムを登録し、注文用端末１０１のＷＷＷブラウザーで注文画面を表示させるようにしてもよい。
【００４３】
レンズメーカの工場２００には、縁摺り加工前のレンズ（以下、素材レンズともいう）にレンズホルダーを取り付けるためのレンズホルダ取付装置２１０と、このレンズホルダ取付装置２１０を制御する第１制御コンピュータ２１１と、縁摺り加工装置２２０と、この縁摺り加工装置２２０を制御する第２制御コンピュータ２２１と、レンズ形状測定装置２３０と、この形状測定装置２３０を制御する第３制御コンピュータ２３１と、レンズの取付部加工装置２４０と、この取付部加工装置２４０を制御する第４制御コンピュータ２４１と、前記第１〜４制御コンピュータ２１１〜２４１とネットワークを介して接続された主制御コンピュータ４００と、記憶手段５００と、第１〜４制御コンピュータ２１１〜２４１に設けられた入力手段２１２〜２４２と、ＩＣチップ１０から識別情報を読み込むＩＣチップ情報読取装置２５０と、このＩＣチップ情報読取装置２５０を制御する第５制御コンピュータ２５１と、この第５制御コンピュータ２５１に設けられた入力手段２５２を備えている。なお、ここでは、本発明に直接関係しないその他の眼鏡製造に必要な構成についてはその記載を省略している。また、上記各種コンピュータやネットワーク機器が有する機能は適宜統合、分散させてもよい。
【００４４】
前記入力手段２１２〜２５２としては、キーボードやマウスなどの入力手段や、各製造工程にレンズが搬送されるときにレンズに添付されている、受注したレンズを特定できる情報（バーコード、その他の２次元コード、ＩＣメモリーなど）の読取装置などである。
【００４５】
前記主制御コンピュータ４００は、前記注文用端末１０１との接続を行う図示しない接続手段、注文用端末１０１から眼鏡あるいは眼鏡レンズの注文を受け付け処理するための受注処理手段４０１、受注した内容に基づいて製造する眼鏡レンズの設計データを作成する設計データ作成手段４０２、この設計データに基づいて各種製造相違の制御に必要な加工データを作成する加工データ作成手段４０３、前記ＩＣチップ情報読取装置２５０から読み取ったＩＣチップ１０の記憶部に記憶されている情報を処理するＩＣチップ情報処理手段４０４、第１〜第５制御コンピュータ２１１〜２５１の制御、管理等を行うための図示しない手段などを備えている。
【００４６】
また、主制御コンピュータ４００は、受注処理手段４０１により注文用端末１０１から注文を受けつけると、その受注情報を記憶手段５００に受注データとして記憶させる（図８のステップＳ１）。
【００４７】
受注データとしては眼鏡レンズの情報、眼鏡フレームの情報、処方値およびレイアウト情報などがある。眼鏡レンズの情報としては、レンズ種に関する情報（レンズ材質、屈折率、レンズ表裏面の光学設計、レンズ外径、レンズカラー、コーティング、これらを識別できる製品識別コードなど）やレンズ加工指示に関する情報（レンズ厚さ、コバ厚さ、偏心、縁面の仕上げ方法、取付部の種類など）がある。眼鏡フレームの情報としては、フレームサイズ、フレーム素材、色、形状、玉型種類、これらを識別できる製品識別コードなどがある。処方値としてはＳ度数、Ｃ度数、プリズム、加入度などがある。また、レイアウト情報としては、瞳孔距離、近用瞳孔距離、セグメント小玉位置、アイポイント位置などがある。
【００４８】
主制御コンピュータ４００には、設計データ作成手段４０２として眼鏡レンズ加工設計プログラムが備えられており、このプログラムにより受注情報と予め記憶手段５００に記憶されている設計に必要なデータ（光学面形状や玉型の情報など）とに基づいて所望のレンズの形状が計算される。この計算されたレンズ形状に関する情報は設計データとして記憶手段５００に記憶される。また、このプログラムは、加工データ作成手段４０３として各製造工程におけるレンズ加工設計値も計算し、その加工設計値に基づく加工条件（各種加工装置の設定値、使用治具など）も決定する。そしてこれらレンズ加工に関する情報は、記憶手段５００に加工データとして記憶される（ステップＳ２）。これらの受注データ、設計データ、加工データに基づき各レンズ毎の製造仕様が特定され、レンズの製造・加工、眼鏡の製造・組み立てが行われる。
【００４９】
レンズの製造に際しては、先ず受注データや設計データなどに基づいて、元となる素材レンズを決定する。使用する素材レンズの光学面の片方あるいは両方が光学的に仕上げられておらず、切削しろ、研磨しろの分だけ肉厚が厚く形成されたレンズの場合は、切削装置（例えば３次元ＮＣ制御のカーブジェネレータ）で研磨しろ分を残して所定の形状の光学面に切削する。次に、研磨装置で研磨して光学面を仕上げる。その後、受注内容に応じて染色や表面処理を行う。表面処理としては、ハードコート、反射防止膜、水やけ防止コート、揆水膜、防汚膜などがある。その後、検査工程で外観検査や光学特性の検査、レンズの厚さの検査が行われる。この検査に合格したレンズが次の工程に移る（ステップＳ３）。なお、ここまでの作業は従来から行っている作業であるから、その詳細な説明は省略する。
【００５０】
このようにして準備された素材レンズにレンズホルダ取付装置２１０でレンズホルダーを取り付ける。レンズホルダーの取付けに際して、先ずその眼鏡レンズについての識別情報を入力手段２１２によって第１制御コンピュータ２１１に入力する。これにより、特定された眼鏡レンズについて必要な情報を主制御コンピュータ４００の記憶手段５００より取り出す。取り出された情報にしたがって、素材レンズの所定の位置にレンズホルダーを取り付け、このレンズホルダーとともに素材レンズを縁摺り加工装置２２０に装着する。
【００５１】
縁摺り加工装置２２０で素材レンズの縁摺り加工を開始するときには、その眼鏡レンズについての識別情報を入力手段２２２によって第２制御コンピュータ２２１に入力する。これにより、第２制御コンピュータ２２１は主制御コンピュータ４００に接続されている記憶手段５００から縁摺り加工に必要な情報を取り出し、これに基づいて縁摺り加工装置２２０を駆動制御して所定の形状に縁摺り加工する（ステップＳ４）。素材レンズの縁摺り加工が終了すると、レンズ（以下、眼鏡レンズという）を形状測定装置２３０に搬送し、その外周形状を測定する。眼鏡レンズの外周形状を測定するときには、その眼鏡レンズについての識別情報を入力手段２３２によって第３制御コンピュータ２３１に入力する。これにより、第３制御コンピュータ２３１は主制御コンピュータ４００に接続された記憶手段５００から形状測定に必要な情報を取り出し、この情報に基づいて形状測定装置２３０を駆動制御する。そして、形状測定装置２３０が眼鏡レンズの外周形状を測定すると、その測定データは第３制御コンピュータ２３１から主制御コンピュータ４００に送られ、識別情報とともに記憶手段５００に記憶される。
【００５２】
形状が測定された眼鏡レンズは、取付部加工装置２４０に送ることにより、取付部が加工形成される。この取付部は、図３に示した溝からなるレンズ保持具用取付部１１や、図６に示した不貫通穴２２からなるレンズ保持具用取付部である。このような取付部を取付部加工装置２４０によって眼鏡レンズに加工形成するときには、その眼鏡レンズについての識別情報を入力手段２４２によって第４制御コンピュータ２４１に入力する。これにより、第４制御コンピュータ２４１は、主制御コンピュータ４００に接続された記憶手段５００からその眼鏡レンズの取付部を加工するために必要な情報を取り出し、これに基づいて取付部加工装置２４０を駆動制御して眼鏡レンズの取付部を加工する（ステップＳ５）。
【００５３】
取付部が形成されると眼鏡レンズは、取付部加工装置２４０から取り外され、その取付部の所定の位置に予め製造され識別情報が登録されているＩＣチップ１０を埋め込む（ステップＳ６）。
【００５４】
ＩＣチップ１０が埋め込まれた眼鏡レンズはＩＣチップ情報読取装置２５０に送られる。ＩＣチップ情報読取装置２５０によってＩＣチップ１０の情報を読み取るときは、その眼鏡レンズについての識別情報を入力手段２５２によって第５制御コンピュータ２５１に入力する。また、ＩＣチップ１０のメモリーに記憶されている識別情報をＩＣチップ情報読取装置２５０で読み取り、その読み取った識別情報を第５制御コンピュータ２５１に送る。入力手段２５２によって入力されたレンズの識別情報と、ＩＣチップ情報読取装置２５０によって読み取ったＩＣチップ１０の識別情報とは、第５制御コンピュータ２５１から主制御コンピュータ４００に送られ、ＩＣチップ情報処理手段４０４により、ＩＣチップ識別情報とレンズ識別情報との関連付け情報が記憶手段５００に記憶される（ステップＳ７）。これにより、記憶手段５００に記憶されている各種情報は、ＩＣチップ識別情報からもデータが特定できるようになる。
【００５５】
そして、ＩＣチップ１０の情報が読み取られた眼鏡レンズに眼鏡フレームを取り付けることにより眼鏡が完成し（ステップＳ８）、その後包装されて製品として出荷される（ステップＳ９）。
なお、ＩＣチップ情報読取処理Ｓ７は、レンズ保持具用取付部にレンズ保持具を取付けた後に行ってもよい。
【００５６】
図９はレンズに取付けられるＩＣチップのメモリーがＲＡＭで、ＩＣチップをレンズに取付けた後にＩＣチップに情報を書き込む場合の受注から出荷までのレンズ製造工程の流れを示すフロー図である。この場合のシステムの構成は、図７のＩＣチップ情報読取装置２５０がＩＣチップへの情報書き込みが可能なＩＣチップ情報書込装置である以外は図７と全く同じである。ステップＳ２１〜ステップＳ２６までは図８のステップＳ１〜ステップＳ６までと同じであるため説明を省略する。ＩＣチップが埋め込まれた眼鏡レンズはＩＣチップ情報書込装置に送られる。ＩＣチップ情報書込装置によってＩＣチップ１０に情報を書き込むときは、その眼鏡レンズについての識別情報を入力手段２５２によって第５制御コンピュータ２５１に入力する。そして、第５制御コンピュータ２５１は主制御コンピュータ４００から必要な情報を取出し、ＩＣチップのメモリーに書き込む識別情報を作成し、その識別情報を、ＩＣチップ情報書込装置にセットされたレンズに取付けられているＩＣチップに非接触で書き込む（ステップＳ２７）。情報書込後、ＩＣチップ情報読取装置で情報を読み取り、データが正しく書き込まれたかどうかを確認してもよい。このようにＩＣチップに識別情報を書き込むことにより記憶手段５００に記憶されている各種情報は、ＩＣチップに書き込まれた識別情報からもデータ特定できるようになる。ステップＳ２８およびステップＳ２９については、図８のステップＳ８およびステップＳ９と同じなので説明を省略する。なお、ステップＳ２７のＩＣチップ情報書込処理は、レンズ保持具用取付部にレンズ保持具を取付けた後に行ってもよい。
【００５７】
図１０はレンズに取付けるＩＣチップのメモリーがＲＡＭで、ＩＣチップをレンズに取付ける前にＩＣチップに情報を書き込む場合の受注から出荷までのレンズ製造工程の流れを示すフロー図である。この場合のシステムの構成は、図７の第５制御コンピュータ２５１に、ＩＣチップ情報読取装置２５０の他にＩＣチップのメモリーへ情報を書き込むためのＩＣチップ情報書込装置が取付けられている以外は図７と同じである。ステップＳ５１からステップＳ５５までは図８のステップ１からステップ５までと同じであるため説明を省略する。レンズ取付部が加工された眼鏡レンズは、ＩＣチップ情報書込装置に送られる。そして、その眼鏡レンズについての識別情報を入力手段２５２によって第５制御コンピュータ２５１に入力する。第５制御コンピュータ２５１は、主制御コンピュータ４００から必要な情報を取出し、ＩＣチップのメモリーに書き込む識別情報を作成し、その識別情報を、ＩＣチップ情報書込装置にセットされたＩＣチップに書き込む（ステップＳ５６）。識別情報が書込まれたＩＣチップはその識別情報に該当する眼鏡レンズへ取付けられる（ステップＳ５７）。ＩＣチップが取付けられた眼鏡レンズは、ＩＣチップ情報読取装置へ送られ、非接触でＩＣチップに書き込まれた識別情報が読み込まれるとともに、入力手段２５２によりその眼鏡レンズの識別情報が読み込まれる。そして、ＩＣチップに記憶されている識別情報がそのレンズの識別情報と一致していることを確認する（ステップＳ５８）。その後のステップＳ５９およびステップＳ６０については、図８のステップＳ８およびステップＳ９と同じなので説明を省略する。なお、ＩＣチップ情報読取確認処理（ステップＳ５８）は、レンズ保持具用取付部にレンズ保持具を取付けた後に行ってもよい。
【産業上の利用可能性】
【００５８】
本発明は、レンズ２の智５が取付けられるレンズ保持具用取付部１１（または２２）にＩＣチップ１０を埋め込む例を示したが、これに限らずブリッジ３の取付部に埋め込んだり、あるいはリムを備えた眼鏡フレームの場合は、レンズの縁面に突設したヤゲンに埋め込むようにしてもよい。
【図面の簡単な説明】
【００５９】
【図１】本発明に係る眼鏡レンズを備えた眼鏡の正面図である。
【図２】同眼鏡の側面図である。
【図３】同眼鏡の要部の分解斜視図である。
【図４】（ａ）〜（ｃ）はそれぞれＩＣチップを取付る場合の凹部取付位置の領域の例を示す図である。
【図５】同じく（ａ）〜（ｃ）はそれぞれＩＣチップを取付る場合の凹部の例を示す図である。
【図６】本発明の他の実施の形態を示す眼鏡レンズの要部の一部を破断して示す正面図である。
【図７】本願発明にかかる眼鏡の製造方法および眼鏡レンズ情報読み取りシステムを説明するための概略構成を示すブロック図である。
【図８】受注から出荷までのレンズ製造工程の流れを示すフロー図である。
【図９】レンズに取付けられるＩＣチップのメモリーがＲＡＭで、ＩＣチップをレンズに取付けた後にＩＣチップに情報を書き込む場合の受注から出荷までのレンズ製造工程の流れを示すフロー図である。
【図１０】レンズに取付けるＩＣチップのメモリーがＲＡＭで、ＩＣチップをレンズの取付ける前にＩＣチップに情報を書き込む場合の受注から出荷までのレンズ製造工程の流れを示すフロー図である。
【符号の説明】
【００６０】
１…眼鏡、２…レンズ、３…ブリッジ、４…鼻当て、５…智、６…蝶番、７…テンプル、１０…ＩＣチップ、１１…レンズ保持具用取付部、２１…智、２２…穴、２３…ピン。
【図１】
2006126645.tif 000003
【図２】
2006126645.tif 000004
【図３】
2006126645.tif 000005
【図４】
2006126645.tif 000006
【図５】
2006126645.tif 000007
【図６】
2006126645.tif 000008
【図７】
2006126645.tif 000009
【図８】
2006126645.tif 000010
【図９】
2006126645.tif 000011
【図１０】
2006126645.tif 000012